(57)【要約】【課題】より価値の高い再資源化方法に廃棄物が用いられるよう、廃棄物の排出者と回収者とを適切に結びつけることができる廃棄物の再資源化支援装置を提供すること。【解決手段】廃棄物の再資源化支援装置は、廃棄物の排出者から提供される、該廃棄物を表す排出情報を記憶する排出情報データベース１４ａと、廃棄物の回収者から提供される、該廃棄物の再資源化方法を表す回収情報を記憶する回収情報データベース１４ｂと、回収情報データベース１４ｂに記憶される各回収情報に対して、排出情報データベース１４ａに記憶される排出情報のうち、該回収情報が表す再資源化方法に対応する廃棄物を表すものを、再資源化方法に関する所定優先順位に従って割り付ける排出情報割付部１２ｃと、排出情報割付部１２ｃによる割付内容を出力する割付内容出力部１２ｄと、を含む。【選択図】        図１３
2004185238.tif 000002
【特許請求の範囲】
【請求項１】
廃棄物の排出者が利用する排出者装置と、
廃棄物の回収者が利用する回収者装置と、
前記排出者装置及び前記回収者装置と通信接続され、廃棄物の再資源化を支援する再資源化支援装置と、
を含む廃棄物の再資源化支援システムにおいて、
前記排出者装置は、
排出される廃棄物を表す排出情報を送信する排出情報送信手段を含み、
前記回収者装置は、
回収される廃棄物の再資源化方法を表す回収情報を送信する回収情報送信手段を含み、
前記再資源化支援装置は、
前記排出情報送信手段によって前記排出者装置から送信される排出情報を記憶する排出情報記憶手段と、
前記回収情報送信手段によって前記回収者装置から送信される回収情報を記憶する回収情報記憶手段と、
前記回収情報記憶手段に記憶される各回収情報に対して、前記排出情報記憶手段に記憶される排出情報のうち、該回収情報が表す再資源化方法に対応する廃棄物を表すものを、再資源化方法に関する所定優先順位に従って割り付ける排出情報割付手段と、
該排出情報割付手段による割付内容を出力する割付内容出力手段と、を含む、
ことを特徴とする廃棄物の再資源化支援システム。
【請求項２】
請求項１に記載のシステムにおいて、
各再資源化方法に対応づけて、該再資源化方法に適した１又は複数の廃棄物を記憶する適材記憶手段をさらに含み、
前記排出情報割付手段は、前記適材記憶手段の記憶内容に基づいて、回収情報に排出情報を割り付ける、
ことを特徴とする廃棄物の再資源化支援システム。
【請求項３】
請求項１又は２に記載のシステムにおいて、
前記適材記憶手段は、各再資源化方法に対応づけて、該再資源化方法に適した順に１又は複数の廃棄物を記憶する、
ことを特徴とする廃棄物の再資源化支援システム。
【請求項４】
請求項１乃至３のいずれかに記載のシステムにおいて、
前記排出情報割付手段は、前記排出情報記憶手段の記憶内容が更新される場合に、回収情報に対する排出情報の割付内容を更新する、
ことを特徴とする廃棄物の再資源化支援システム。
【請求項５】
請求項１乃至４のいずれかに記載のシステムにおいて、
前記排出情報割付手段は、前記回収情報記憶手段の記憶内容が更新される場合に、回収情報に対する排出情報の割付内容を更新する、
ことを特徴とする廃棄物の再資源化支援システム。
【請求項６】
廃棄物の排出者から提供される、該廃棄物を表す排出情報を記憶する排出情報記憶手段と、
廃棄物の回収者から提供される、該廃棄物の再資源化方法を表す回収情報を記憶する回収情報記憶手段と、
前記回収情報記憶手段に記憶される各回収情報に対して、前記排出情報記憶手段に記憶される排出情報のうち、該回収情報が表す再資源化方法に対応する廃棄物を表すものを、再資源化方法に関する所定優先順位に従って割り付ける排出情報割付手段と、
該排出情報割付手段による割付内容を出力する割付内容出力手段と、
を含むことを特徴とする廃棄物の再資源化支援装置。
【発明の詳細な説明】
【０００１】
【発明の属する技術分野】
本発明は廃棄物の再資源化支援システム及び装置に関し、廃棄物排出者と廃棄物回収者との適切なマッチングを実現するための技術に関する。
【０００２】
【従来の技術】
生ゴミ等の再資源化を支援するシステムが各種提案されている。例えば、特開２００１−３４４３１０号公報には、生ゴミ、堆肥及び有機農作物の種類と量に関する発生、生産及び消費のミスマッチを解決するシステムが開示されている。また、特開２００２−７３９０４号公報には、生ゴミを中心とする一般廃棄物のリサイクルチェーンをインターネットを利用して拡大化及び安定化するシステムが開示されている。また、特開２００２−４５８３１号公報には、農業生産者と食品製造者と販売者とを結合させて、食品製造者や販売者が排出する生ゴミを堆肥化及び肥料化するとともに、それを農業生産者に提供する循環型のフランチャイズ農業生産システムが開示されている。さらに、特開２００２−２４３２０号公報には、生ゴミを堆肥に加工する堆肥センターを中心として、ホテル等の生ゴミ排出者と農家とをコンピュータネットワークで結んで、生ゴミの有効活用を支援する有機資源活用支援システムが開示されている。
【０００３】
【発明が解決しようとする課題】
しかしながら、上記従来技術はいずれも、より価値の高い再資源化がされるよう、廃棄物の排出者と回収者とを適切にマッチングさせようとするものではない。例えば果物が廃棄された場合、それは堆肥製造に用いられるよりも、乳酸発酵やアルコール発酵等のより価値の高い再資源化方法に用いられる方が、社会的見地からして望ましい。
【０００４】
本発明は上記課題に鑑みてなされたものであって、その目的は、より価値の高い再資源化方法に廃棄物が用いられるよう、廃棄物の排出者と回収者とを適切に結びつけることができる廃棄物の再資源化支援システム及び装置を提供することにある。
【０００５】
【課題を解決するための手段】
上記課題を解決するために、本発明に係る廃棄物の再資源化支援システムは、廃棄物の排出者が利用する排出者装置と、廃棄物の回収者が利用する回収者装置と、前記排出者装置及び前記回収者装置と通信接続され、廃棄物の再資源化を支援する再資源化支援装置と、を含む。ここで、前記排出者装置は、排出される廃棄物を表す排出情報を送信する排出情報送信手段を含む。また、前記回収者装置は、回収される廃棄物の再資源化方法を表す回収情報を送信する回収情報送信手段を含む。さらに、前記再資源化支援装置は、前記排出情報送信手段によって前記排出者装置から送信される排出情報を記憶する排出情報記憶手段と、前記回収情報送信手段によって前記回収者装置から送信される回収情報を記憶する回収情報記憶手段と、前記回収情報記憶手段に記憶される各回収情報に対して、前記排出情報記憶手段に記憶される排出情報のうち、該回収情報が表す再資源化方法に対応する廃棄物を表すものを、再資源化方法に関する所定優先順位に従って割り付ける排出情報割付手段と、該排出情報割付手段による割付内容を出力（例えば印刷、表示、送信、音声等）する割付内容出力手段と、を含む。
【０００６】
また、本発明に係る廃棄物の再資源化支援装置は、廃棄物の排出者から提供される、該廃棄物を表す排出情報を記憶する排出情報記憶手段と、廃棄物の回収者から提供される、該廃棄物の再資源化方法を表す回収情報を記憶する回収情報記憶手段と、前記回収情報記憶手段に記憶される各回収情報に対して、前記排出情報記憶手段に記憶される排出情報のうち、該回収情報が表す再資源化方法に対応する廃棄物を表すものを、再資源化方法に関する所定優先順位に従って割り付ける排出情報割付手段と、該排出情報割付手段による割付内容を出力（例えば印刷、表示、送信、音声等）する割付内容出力手段と、を含む。
【０００７】
本発明によれば、廃棄物の排出者から提供される排出情報が排出情報記憶手段に記憶され、廃棄物の回収者から提供される回収情報が回収情報記憶手段に記憶される。そして、再資源化方法に関する所定優先順位に従って、排出情報記憶手段に記憶される排出情報が、回収情報記憶手段に記憶される回収情報に割り付けられる。このため、より価値の高い再資源化方法に廃棄物が用いられるようにして、排出者と回収者とを適切に結びつけることができるようになる。
【０００８】
なお、各再資源化方法に対応づけて、該再資源化方法に適した１又は複数の廃棄物を記憶する適材記憶手段をさらに含むようにして、前記排出情報割付手段は、前記適材記憶手段の記憶内容に基づいて、回収情報に排出情報を割り付けるようにしてもよい。こうすれば、回収情報に排出情報を割り付ける場合に、再資源化方法と該再資源化方法に適した廃棄物とを関連づけることができるようになる。
【０００９】
また、前記適材記憶手段は、各再資源化方法に対応づけて、該再資源化方法に適した順に１又は複数の廃棄物を記憶するようにしてもよい。こうすれば、回収情報に排出情報を割り付ける場合に、再資源化方法と該再資源化方法により適した廃棄物とを関連づけることができるようになる。
【００１０】
また、前記排出情報割付手段は、前記排出情報記憶手段の記憶内容が更新される場合に、回収情報に対する排出情報の割付内容を更新するようにしてもよい。こうすれば、排出情報記憶手段の記憶内容が更新されて、より適切な割付が期待される場合に、回収情報に対する排出情報の割付内容を速やかに更新することができるようになる。
【００１１】
また、前記排出情報割付手段は、前記回収情報記憶手段の記憶内容が更新される場合に、回収情報に対する排出情報の割付内容を更新するようにしてもよい。こうすれば、回収情報記憶手段の記憶内容が更新されて、より適切な割付が期待される場合に、回収情報に対する排出情報の割付内容を速やかに更新することができるようになる。
【００１２】
【発明の実施の形態】
以下、本発明の実施形態について図面に基づき詳細に説明する。
【００１３】
本実施形態は、有機性廃棄物の再資源化（再利用）を支援するシステムに関するものである。従来から行われている有機性廃棄物の再資源化方法としては、堆肥化、飼料化、メタン発酵、アルコール発酵、乳酸発酵等がある。
【００１４】
堆肥化では、まず食品廃棄物を集めて破砕する。そして、水分の調整をして４０〜６０℃に加温し、１〜３週間かけて一次発酵をさせる。その後、土と混ぜて１〜３ヶ月かけて二次発酵させ、堆肥にする。一次発酵では、原料とする廃棄物の内容物によっては水分が多い、油が多い、繊維質ばかりである、塩分が多い等の問題が発生しており、その調整のために副材料を大量に添加する必要もでてくる。副材料には、わら、籾殻、木材チップ、石膏ボードガラ、貝殻、揚げかす、畜糞等がある。また、リン酸塩や生石灰等も用いられる場合がある。したがって、こうした副材料についても適切な回収がなされることが望ましい。さらに、出来上がった堆肥についても、原料によっては塩分が多くなる問題があり、この改善の用途にも、他の有機性廃棄物を調達して、それを添加したり配合したりすることが望ましい。
【００１５】
飼料化については、食品廃棄物を集めて破砕し、栄養剤を添加、必要に応じて発酵させる。その後、乾燥及び造粒して製品化する。飼料化では栄養剤に、たんぱく質、油脂、ビタミン類、消化剤等を用いる。また、揚げかす、農産廃棄物、おから、ジュース絞りかす等も用いる。飼料化の主原料によっては、栄養剤の添加が大量になることがあり、有機性廃棄物を用いてコストを下げるメリットが無いこともありうる。そこで有機性廃棄物の内容や量の調整によって、コストを下げたり、品質を向上させたりする。
【００１６】
発酵による有価物の生産は、有機性廃棄物の新しい形の再資源化といえる。発酵を行うためには、それぞれの有効微生物の生育条件に合わせた基質の調整が大切になる。上記したメタン発酵、アルコール発酵、乳酸発酵のいずれにおいても、原料廃棄物に炭水化物及び糖類の含有量が多いことが必須条件となる。
【００１７】
メタン発酵では、スラリーとした廃棄物を２〜５倍に水希釈して、６０〜８０℃での嫌気発酵を行い、メタンガスを得る。このメタンガスを燃焼して、熱エネルギーとしたり、発電の熱源に用いたりする。
【００１８】
アルコール発酵では、廃棄物をスラリーとした後、酵素あるいは菌体を用いて液化と糖化を行う。そして、アルコール酵母を用いて醸造と同様なアルコール発酵を行う。そして、発酵後の生産物からエタノールを蒸留する。
【００１９】
乳酸発酵では、廃棄物をスラリーとした後、酵素を用いた液化と糖化を行い、乳酸菌を用いて、乳酸発酵を行う。発酵後の生産物から乳酸カルシウムを析出させ、これを硫酸により酸化させ、乳酸とする。
【００２０】
発酵においては、炭素化合物と窒素化合物の比率で、およそ２０対１以上が好ましいとされる。そのために副材料の添加が必要となり、食品廃棄物、廃糖蜜、ビール発酵カス、魚類蛋白分解物、水産廃棄物等の廃棄物を用いて、添加と調整を行うことが考えられている。
【００２１】
以上のように、有機性廃棄物からの有価物を回収して、それを再資源化する技術としては、堆肥化や飼料化のみならず、メタン発酵、アルコール発酵、乳酸発酵等が既に実施されている。ところが廃棄物は地理的及び時間的に偏在しており、有価物を回収する時期や事業体の所在地によっては、その回収及び再資源化が難しくなる場合がある。また、回収及び再資源化が出来たとしても、極めて経済的ではない処理となってしまう場合がある。そして、このように回収及び再資源化が難しいということは、その有機性廃棄物が廃棄されることにもなり、食品リサイクル法の方策に合致しない事態を招く。
【００２２】
上記背景に鑑み、本実施形態に係るシステムでは、以下説明するように、より価値の高い再資源化方法に廃棄物が用いられるよう、廃棄物の排出者と回収者とを適切に結びつけるようにしている。
【００２３】
図１は、本発明の実施形態に係る廃棄物の再資源化支援システムの全体構成を示す図である。同図に示すように、このシステム１０は、再資源化支援サーバ（再資源化支援装置）１２、データベース（再資源化支援装置）１４、複数の排出者端末１８及び複数の回収者端末２０を含んで構成されている。再資源化支援サーバ１２、排出者端末１８及び回収者端末２０は、いずれもインターネット等の通信ネットワーク１６によって接続されており、データ通信可能とされている。
【００２４】
再資源化支援サーバ１２は、例えば公知のサーバコンピュータを含んで構成されるものであり、排出者端末１８や回収者端末２０からのアクセスを受け付け、排出者や回収者が廃棄物を効率的に排出・再資源化できるよう支援するようになっている。この際、ハードディスク記憶装置等を含んで構成されたデータベース１４に適宜アクセスするようになっている。
【００２５】
排出者端末１８は、例えば公知のパーソナルコンピュータ、可搬型コンピュータ、データ通信機能を備えた携帯電話機等を含んで構成されるものであり、廃棄物の排出者が利用するものである。廃棄物の排出者は、この排出者端末１８を利用して再資源化支援サーバ１２にアクセスして、廃棄物の再資源化に関する様々なサービスを受けることができるようになっている。特に、自らが排出しようとしている廃棄物に関する情報（排出情報）をデータベース１４に登録して、その廃棄物を回収してくれる者（回収者）の紹介を受けることができるようになっている。
【００２６】
回収者端末２０は、例えば公知のパーソナルコンピュータ、可搬型コンピュータ、データ通信機能を備えた携帯電話機等を含んで構成されるものであり、廃棄物の回収を行う（通常は再資源化も行う）者が利用するものである。廃棄物の回収者は、この回収者端末２０を利用して再資源化支援サーバ１２にアクセスして、廃棄物の再資源化に関する様々なサービスを受けることができるようになっている。特に、回収したい廃棄物に関する情報（回収情報）をデータベース１４に登録して、その廃棄物を譲ってくれる者（排出者）の紹介を受けることができるようになっている。
【００２７】
図２は、排出者端末１８から再資源化支援サーバ１２にアクセスして、排出情報の登録画面を要求した場合に、該排出者端末１８に備えられたディスプレイに表示される登録画面の一例を示す図である。この登録画面にアクセスする場合には、廃棄物の排出者は事前にユーザ認証を済ませる必要があり、同画面左上には認証済みのユーザ名が表示されるようになっている。廃棄物の排出者は、この登録画面において、排出しようとする廃棄物の内容、量、時期、場所等を入力し、所定登録操作をすることにより、これら内容（排出情報）を再資源化支援サーバ１２に送信することができるようになっている。再資源化支援サーバ１２では、こうして送信される排出情報を受信すると、それを識別する登録番号を発行し、排出者端末１８に返信するようになっている。図３は、排出者端末１８で表示される排出情報に対する登録番号の確認画面の一例を示す図である。再資源化支援サーバ１２では、排出者端末１８から受信した排出情報を登録番号とともにデータベース１４、具体的には排出情報データベース１４ａ（図４及び図１３）に登録するようになっている。
【００２８】
図４は、排出情報データベース１４ａの一例を示す図である。排出情報データベース１４ａはデータベース１４に含まれるものであり、各排出情報に対して１つのレコードを記憶している。各レコードには、登録番号、ユーザＩＤ、内容（廃棄物）、量（排出量）、時期（排出日時）、地域（排出場所）、排出費（排出予算）、備考及び分類番号が含まれている。このうち、内容、量、時期、地域、排出費及び備考は、排出者端末１８から送信される排出情報に含まれるものである。また、登録番号は、排出情報を登録する場合に再資源化支援サーバ１２が他の登録番号との重複が無いようにして決定したものである。さらに、分類番号は、排出情報を登録する場合に再資源化支援サーバ１２が当該排出情報に係る廃棄物に応じて設定するものである。
【００２９】
具体的には、再資源化支援サーバ１２は、図５に示される廃棄物分類テーブル及び図６に示されるサブテーブルを参照して、各排出情報のレコードに適切な分類番号を付与するようになっている。図５に示される廃棄物分類テーブルは、廃棄物の中分類を８つの大分類のいずれかに対応づけて記憶したものであり、１つの大分類に属する廃棄物の各中分類には１から順に番号が付与されている。そして、各中分類には、図６に例示されるサブテーブルが結びつけられており、同サブテーブルにより当該中分類に属する廃棄物が具体的に分かるようになっている。なお、図６は、サブテーブルの一例として中分類「２−６  麦製品」に係るサブテーブルが示されている。再資源化支援サーバ１２は、排出情報に記された廃棄物（内容）がどのサブテーブルに含まれるものであるかを調べ、そのサブテーブルの中分類を調べる。そして、その中分類の番号及び該中分類が属する大分類の番号を組合せ、それを分類番号として排出情報データベースに記憶するようにしている。
【００３０】
図７は、回収者端末２０から再資源化支援サーバ１２にアクセスして、回収情報の登録画面を要求した場合に、該回収端末２０に備えられたディスプレイに表示される登録画面の一例を示す図である。この登録画面にアクセスする場合には、廃棄物の回収者は事前にユーザ認証を済ませる必要があり、同画面左上には認証済みのユーザ名が表示されるようになっている。廃棄物の回収者は、この登録画面において、回収しようとする廃棄物（回収原料）、回収物量、回収時期、地域、回収予算及び再資源化方法を入力し、所定登録操作をすることにより、これら内容（回収情報）を再資源化支援サーバ１２に送信することができるようになっている。なお、再資源化方法は、回収した廃棄物をどのような方法で再資源化するかを表す登録項目である。再資源化支援サーバ１２では、こうして送信される回収情報を受信すると、それを識別する登録番号を発行し、回収者端末２０に返信するようになっている。図８は、回収者端末２０で表示される回収情報に対する登録番号の確認画面の一例を示す図である。再資源化支援サーバ１２では、回収者端末２０から受信した回収情報を登録番号とともにデータベース１４、具体的には回収情報データベース１４ｂ（図４及び図１３）に登録するようになっている。
【００３１】
図９は、回収情報データベース１４ｂの一例を示す図である。回収情報データベース１４ｂはデータベース１４に含まれるものであり、各回収情報に対して１つのレコードを記憶している。各レコードには、登録番号、ユーザＩＤ、予定原料（廃棄物）、量（回収物量）、時期（回収日時）、地域（回収場所）、回収費（回収予算）、再資源化方法及び推薦排出情報が含まれている。このうち、予定原料、量、時期、地域、回収予算及び再資源化方法は、回収者端末２０から送信される回収情報に含まれるものである。また、登録番号は、回収情報を登録する場合に再資源化支援サーバ１２が他の登録番号との重複が無いようにして決定したものである。
【００３２】
また、回収情報データベース１４ｂは推薦排出情報を記憶している。この推薦排出情報は、新たに排出情報や回収情報が登録される場合や、排出情報データベース又は回収情報データベースの更新量が一定量以上となった場合に、再資源化支援サーバ１２が更新するものであり、各回収情報に相応しい排出情報に付与された登録番号を記録したものである。
【００３３】
具体的には、再資源化支援サーバ１２は、図１０に示される適材データベース１４ｄを参照して、回収情報データベース１４ｂに含まれる各レコードに推薦排出情報の登録番号（２つ）を設定している。適材データベース１４ｄは、各再資源化方法に対応づけて、１又は複数の廃棄物を、その再資源化方法に適した順に記憶したものである。ここでは、廃棄物を直接記憶する代わりに、廃棄物の分類（大分類）を記憶するようにしている。再資源化支援サーバ１２では、まず優先度の高い再資源化方法を指定した回収情報が無いかを調べ、あればその再資源化方法に適した廃棄物を同適材データベース１４ｄを参照して調べる。そして、こうして調べた廃棄物（適材）に関する排出情報を排出情報データベース１４ａに記憶された排出情報の中から見つけだし、その登録番号を回収情報データベース１４ｂの推薦排出情報欄に登録するようにしている。このとき、既に上位、すなわち優先度の高い再資源化方法に用いられるよう、推薦排出情報欄に登録された排出情報については、他の再資源化方法を指定した回収情報の推薦排出情報欄への登録を制限するようにしている。例えば、既に上位の再資源化方法を指定した回収情報に所定回数だけ割り付けられると、それ以上の割り付けをやめるにしてもよい。また、既に上位の再資源化方法を指定した回収情報に対する割付により、排出量の全てについて使途が決定した場合には、それ以上の割り付けをやめるようにしてもよい。
【００３４】
図１１は、回収者端末２０から再資源化支援サーバ１２にアクセスして、回収情報データベース１４ｂに登録済みの回収情報に付与された登録番号を含む適材推薦要求を送信した場合に返信される、適材推薦要求画面の一例を示す図である。同図に示す適材推薦要求画面では、再資源化支援サーバ１２に送信された登録番号が付与された回収情報が表示されており、ユーザ（回収者）は内容確認して、所定の検索要求操作を行うと、再資源化支援サーバ１２では適切な２つの排出情報を返信するようになっている。図１２は、この返信内容に基づいて回収者端末２０で表示される推薦画面の一例を示している。この再資源化支援システム１０では、同画面に表示された排出情報に興味を持つと、再資源化支援サーバ１２の運用者を介して、或いは直接に回収者と連絡を取り、排出される廃棄物を例えば有料で入手できるようになっている。
【００３５】
図１３は、再資源化支援装置の機能ブロック図を示している。再資源化支援装置は再資源化支援サーバ１２とデータベース１４とを含んで構成されるものである。ここでは、再資源化支援装置に備えられた機能のうち、本発明に関連するものを中心として示している。同図に示すように、再資源化支援装置では、排出情報登録部１２ａ、回収情報登録部１２ｂ、排出情報割付部１２ｃ、割付内容出力部１２ｄ、排出情報データベース１４ａ、回収情報データベース１４ｂ、廃棄物分類テーブル１４ｃ及び適材データベース１４ｄが実現されるようになっている。これらの機能は、例えば再資源化支援サーバ１２がプログラムを実行することにより実現される。
【００３６】
排出情報登録部１２ａは、排出者端末１８からのアクセスを受け付けて、排出情報登録画面を返信する。また、排出情報登録画面を用いて送信される排出情報を受信し、それを排出情報データベース１４ａに登録する。
【００３７】
回収情報登録部１２ｂは、回収者端末２０からのアクセスを受け付けて、回収情報登録画面を返信する。また、回収情報登録画面を用いて送信される回収情報を受信し、それを回収情報データベース１４ｂに登録する。
【００３８】
排出情報割付部１２ｃは、回収情報データベース１４ｂに記憶される各回収情報（レコード）に対して、排出情報データベース１４ａに記憶される排出情報（レコード）のうち、該回収情報が表す再資源化方法に対応する廃棄物を表すものを、再資源化方法に関する所定優先順位に従って割り付ける。ここでは、「乳酸発酵」、「アルコール発酵」、「メタン発酵」、「飼料製造」、「堆肥製造」の順に再資源化方法の優先順位（優先度）が設定されている。このとき、排出情報割付部１２ｃは、適材データベース１４ｄの記憶内容に基づいて、回収情報に排出情報を割り付ける。また、排出情報割付部１２ｃは、排出情報データベース１４ａの記憶内容が更新される場合に、回収情報に対する排出情報の割付内容を更新する。さらに、排出情報割付部１２ｃは、回収情報データベース１４ｂの記憶内容が更新される場合に、回収情報に対する排出情報の割付内容を更新する。
【００３９】
割付内容出力部１２ｄは、排出情報割付部１２ｃによる割付内容を出力する。出力方法は、回収者端末２０等に送信出力するものであってもよいし、紙等に印刷出力するものであってもよい。また、ディスプレイに表示出力するものであってもよいし、スピーカにより音声出力するものであってもよい。例えば、割付内容出力部１２ｄは、回収者端末２０から回収情報の登録番号を指定した推薦要求を受信した場合に、該登録番号に対応づけて回収情報データベース１４ｂに記憶されている推薦排出情報を読み出し、さらにその排出情報を排出情報データベース１４ａから読み出して、回収者端末２０に返信するようにしてもよい。
【００４０】
排出情報データベース１４ａは、排出者端末１８から送信される排出情報を記憶する記憶手段である。また、回収情報データベース１４ｂは、回収者端末２０から送信される回収情報を記憶する記憶手段である。廃棄物分類テーブル１４ｃ（図５）は、サブテーブル（図６）を含み、排出情報データベース１４ａの分類番号欄を設定するのに用いられる情報である。適材データベース１４ｄは、各再資源化方法に対応づけて、該再資源化方法に適した１又は複数の廃棄物を記憶する記憶手段である。具体的には、適材データベース１４ｄは、各再資源化方法に対応づけて、該再資源化方法に適した順に１又は複数の廃棄物を記憶する。
【００４１】
図１４は、排出情報登録部１２ａの処理を説明するフロー図である。同図に示す処理は、排出情報登録部１２ａが排出者端末１８から排出情報登録要求を受信した場合に行われるものである。この処理では、まず排出者端末１８に排出情報登録画面を返信する（Ｓ１０１）。そして、この画面への入力内容を排出者端末１８から受信する（Ｓ１０２）。その後、排出情報データベース１４ａで未だ用いられていない登録番号を発行する（Ｓ１０３）。そして、この登録番号を排出者端末１８に通知する（Ｓ１０４）。その後、Ｓ１０２において排出者端末１８から受信した排出情報を、Ｓ１０３において発行した登録番号に対応づけて、排出情報データベース１４ａに登録する（Ｓ１０５）。このとき、図５に示される廃棄物分類テーブル及び図６に示されるサブテーブルを参照して、分類番号を付与・登録する。
【００４２】
図１５は、回収情報登録部１２ｂの処理を説明するフロー図である。同図に示す処理は、回収情報登録部１２ｂが回収者端末２０から回収情報登録要求を受信した場合に行われるものである。この処理では、まず回収者端末２０に回収情報登録画面を返信する（Ｓ２０１）。そして、この画面への入力内容を回収者端末２０から受信する（Ｓ２０２）。その後、回収情報データベース１４ｂで未だ用いられていない登録番号を発行する（Ｓ２０３）。そして、この登録番号を回収者端末２０に通知する（Ｓ２０４）。その後、Ｓ２０２において回収者端末２０から受信した回収情報を、Ｓ２０３において発行した登録番号に対応づけて、回収情報データベース１４ｂに登録する（Ｓ２０５）。
【００４３】
図１６は、排出情報割付部１２ｃの処理を説明するフロー図である。同図に示す処理は、例えば排出情報データベース１４ａや回収情報データベース１４ｂが更新される場合に行われるものである。この処理では、まず優先度を表す変数ｉを１に設定する（Ｓ３０１）。そして、回収情報データベース１４ｂに優先度ｉの再資源化方法を指定した回収情報が記録されているか否かを調べる（Ｓ３０２）。ここでは、優先度１を乳酸発酵、優先度２をアルコール発酵、優先度３をメタン発行、優先度４を飼料製造、優先度５を堆肥製造としている。そして、そのような回収情報がなければ、変数ｉを１だけ増加させて（Ｓ３０７）、再びＳ３０２の処理を実行する。一方、そのような回収情報があれば、次に適材データベース１４ｄにアクセスして、優先度ｉの再資源化方法に対応する廃棄物を読み出す（Ｓ３０３）。次に、Ｓ３０３で読み出した廃棄物に係る排出情報を２つ、排出情報データベース１４ａから探し出し、それら２つの登録番号をＳ３０２で見出した回収情報に含まれる推薦排出情報欄に登録する（Ｓ３０４）。このとき、それら２つの登録番号に係る排出情報は、既に割付済みであることを作業用メモリに記憶しておく。こうして割付済みであることが登録された排出情報は、それ以降に実行されるＳ３０４の処理において、他の回収情報に割り付けられることが制限される。そして、変数ｉが所定数Ｎ（ここでは５）となるまで、変数ｉを１だけ増加させて（Ｓ３０７）、再びＳ３０２の処理を実行する。
【００４４】
以上のようにして、本実施形態に係るシステムによれば、排出される廃棄物を適切な方法で再資源化しようとする回収者に紹介することができるようになる。
【００４５】
【発明の効果】
以上説明したように、本発明によれば、再資源化方法に関する所定優先順位に従って、排出情報記憶手段に記憶される排出情報が、回収情報記憶手段に記憶される回収情報に割り付けられるので、より価値の高い再資源化方法に廃棄物が用いられるようにして排出者と回収者とを結びつけることができるようになる。
【図面の簡単な説明】
【図１】本発明の実施形態に係る廃棄物の再資源化支援システムの全体構成を示す図である。
【図２】排出情報登録画面を示す図である。
【図３】排出情報の登録番号通知画面を示す図である。
【図４】排出情報データベースを示す図である。
【図５】廃棄物分類テーブルを示す図である。
【図６】廃棄物分類テーブルのサブテーブルを示す図である。
【図７】回収情報登録画面を示す図である。
【図８】回収情報の登録番号通知画面を示す図である。
【図９】回収除法データベースを示す図である。
【図１０】適材データベースを示す図である。
【図１１】適材推薦要求画面を示す図である。
【図１２】推薦画面を示す図である。
【図１３】再資源化支援装置の機能ブロック図である。
【図１４】排出情報登録処理を示すフロー図である。
【図１５】回収情報登録処理を示すフロー図である。
【図１６】排出情報割付処理を示すフロー図である。
【符号の説明】
１０  廃棄物の再資源化支援システム、１２  再資源化支援サーバ、１２ａ  排出情報登録部、１２ｂ  回収情報登録部、１２ｃ  排出情報割付部、１２ｄ  割付内容出力部、１４  データベース、１４ａ  排出情報データベース、１４ｂ回収情報データベース、１４ｃ  廃棄物分類テーブル、１４ｄ  適材データベース、１６  通信ネットワーク、１８  排出者端末、２０  回収者端末。
【図１】
2004185238.tif 000003
【図２】
2004185238.tif 000004
【図３】
2004185238.tif 000005
【図４】
2004185238.tif 000006
【図５】
2004185238.tif 000007
【図６】
2004185238.tif 000008
【図７】
2004185238.tif 000009
【図８】
2004185238.tif 000010
【図９】
2004185238.tif 000011
【図１０】
2004185238.tif 000012
【図１１】
2004185238.tif 000013
【図１２】
2004185238.tif 000014
【図１３】
2004185238.tif 000015
【図１４】
2004185238.tif 000016
【図１５】
2004185238.tif 000017
【図１６】
2004185238.tif 000018